(57)【要約】【課題】複数の液晶表示パネルを縦横に複合してなる大型表示装置の各パネル間の継ぎ目を信頼性を損ねずに目立たなくする。【解決手段】各液晶表示パネル１０の周縁部の１０ａ，１０ｂを隣接する他の液晶表示パネルの周縁部３，８に重ねる。【選択図】　　　図１
2004037590.tif 000002
【特許請求の範囲】
【請求項１】
液晶表示パネルが互いに隣接するように複数配置されてなる大型表示装置において、各液晶表示パネルの周縁部の少なくとも一辺が隣接する液晶表示パネルの周縁部の一辺と重なり合っていることを特徴とする大型表示装置。
【請求項２】
前記液晶表示パネルが複数の液晶パネルを厚み方向に積層させてなる積層パネルである請求項１に記載の大型表示装置。
【請求項３】
前記液晶表示パネルが支持手段により傾斜して固定されている請求項１または請求項２のいずれか１項に記載の大型表示装置。
【請求項４】
前記顔晶表示パネルがカイラルネマチック液晶表示パネルである請求項１乃至請求項３のいずれか１項に記載の大型表示装置。
【発明の詳細な説明】
【０００１】
【産業上の利用分野】
本発明は、大型表示装置に係り、特に、複数の液晶表示パネルを互いに隣接させることによって形成された大画面による表示を行うのに好適な大型表示装置に関する。
【０００２】
【従来の技術】
液晶表示パネルを用いた大型表示装置として、単体パネルでは製造面等の制約でサイズに限界があり、複数の液晶表示パネルを縦横に隣接させ複合することで大画面化したものが従来から知られている。
【０００３】
【発明が解決しようとする課題】
ところで、液晶表示パネルには、図１３に示すように、表示電極１が形成された表示部２の外側に、表示電極１の存在しない非表示部３や、二枚のパネル基板４，５を貼り合わせるためのシール部６、あるいはリード端子が形成された端子部８等が存在する。
【０００４】
従って、図１４に示すように、２つの液晶表示パネル３０を隣接させた場合、一方の液晶表示パネル３０と、これに隣接する他方の液晶表示パネル３０との継ぎ目部分１２が目立ち、ひいては大型表示の視認性および見栄えを悪くしてしまうといった問題が生じていた。
【０００５】
本発明は、このような問題点に鑑みなされたもので、互いに隣接する各液晶表示パネルの表示部を近接させることができ、各液晶表示パネルを集合させた大画面による良好な表示を実現することができる大型表示装置を提供することを目的とするものである。
【０００６】
【課題を解決するための手段】
前記目的を達成するために本発明の請求項１に係る大型表示装置の特徴は、液晶表示パネルが互いに隣接するように複数配置されてなる大型表示装置において、各液晶表示パネルの周縁部の少なくとも一辺が隣接する液晶表示パネルの周縁部の一辺と重なり合っている点にある。
【０００７】
そして、このような構成を採用したことにより、各液晶表示パネルの表示部と、これに隣接する他の液晶表示パネルの表示部との間の距離を、前記各液晶表示パネルの周縁部の少なくとも一辺と、前記隣接する他の液晶表示パネルの周縁部の一辺との重なり部分だけ短縮することができ、この結果、各液晶表示パネル間の継ぎ目部分を充分に目立たなくすることができる。
【０００８】
請求項２に係る大型表示装置の特徴は、前記液晶表示パネルが、複数の液晶パネルを厚み方向に積層させてなる積層パネルである点にある。
【０００９】
そして、このような構成を採用したことにより、表示モードが多様化され、高信頼性を有する白黒表示やメモリー性を有する液晶表示パネルを用いてマルチカラー表示を行なうことができる。
【００１０】
請求項３に係る大型表示装置の特徴は、前記液晶表示パネルが支持手段により傾斜して載置されている点にある。
【００１１】
そして、このような構成を採用したことにより、各液晶表示パネルの周縁部の一辺と隣接する液晶表示パネルの周縁部の一辺を重ねても、大型表示装置の底部から各液晶表示パネルのもっとも外側まで突出している部分（以下、最上部ということがある）間での距離を短くすることができる。すなわち大型表示装置の厚みを薄くすることができる。
【００１２】
請求項４に係る大型表示装置の特徴は、前記液晶表示パネルがカイラルネマチック液晶表示パネルである点にある。
【００１３】
そして、このような構成を採用したことにより、低消費電力で、非常に明るい大型表示とすることができるとともに、従来、手塗りや印刷した紙等を貼着して手間がかかっていた大型表示の表示内容の変更や更新を簡便に行なうことができる。
【００１４】
【発明の実施の形態】
以下、本発明に係る大型表示装置の実施形態について図１乃至図１２を参照して説明する。
【００１５】
なお、従来と基本的構成の同一もしくはこれに類する箇所については同一の符号を用いて説明する。
【００１６】
本実施形態における大型表示装置１４は、図２に示すように、２枚の液晶表示パネル９ａ，９ｂを厚み方向（図２において縦方向）に積層させた複数の積層パネル１０が、図１における縦方向および横方向に互いに隣接するように配設されている。
【００１７】
各積層パネル１０の一端部側（図２における各積層パネル１０の右端部）は、リード端子が形成された端子部８とされており、この端子部８には、可撓配線基板１５を介して回路基板１６が接続されている。そして、各積層パネル１０は、前記回路基板１６を下層の液晶表示パネル９ｂの下面側に位置させた状態で、ケース１８の底部に形成された支持手段である載置台１９の上に固定されている。
【００１８】
そして、本実施形態においては、各積層パネル１０の周縁部の少なくとも一辺が、隣接する他の積層パネル１０の周縁部の一辺と重なり合っている。
【００１９】
すなわち、図２に示すように、横方向に互いに隣接する５つの積層パネル１０のうち任意の位置の２つの積層パネル１０について、右方に位置する積層パネル１０の周縁部の一辺である左端部側の一定範囲の部位１０ａが、左方に位置する積層パネル１０の周縁部の一辺である端子部８の上に重ねられている。
【００２０】
また、本実施形態においては、図１における横方向に互いに隣接する３個の積層パネル１０のうち、中央の積層パネル１０の周縁部の一辺である左右の両端部の一定範囲の部位１０ｂが、左右に隣接する各積層パネル１０の周縁部の一辺である非表示部３の上に重ねられている。
【００２１】
これにより、互いに隣接する表示部２の間の距離を、前記周縁部の一辺である１０ａ，１０ｂと、前記端子部８あるいは前記非表示部３との重なり部分だけ短縮することができ、この結果、各積層パネル１０の継ぎ目部分１２を充分に目立たなくすることができるようになっている。
【００２２】
なお、図１および図２に示した構成に限らず、例えば、図３および図４に示すように構成してもよい。すなわち、図４においては、横方向に互いに隣接する５つの積層パネル１０のうち任意の位置の２つの積層パネル１０について、右方に位置する積層パネル１０の周縁部の一辺である左端部側の一定範囲の部位１０ａが、左方に位置する積層パネル１０の周縁部の一辺である非表示部３の上に重ねられている。この場合、図１および図２に示した構成よりも更に互いに隣接する表示部２の間の距離を短縮することができ、継ぎ目部分１２をより良好に目立たなくすることが可能となる。なお、このとき、重なり部分の範囲は、各積層パネル１０をケース１８内に組み込む際のばらつきやパネル外形公差、あるいは、組み込んだ後の外気温度による収縮や膨張を考慮に入れて、表示部２に掛からない範囲で、重なり部分をなるべく大きく取ることが望ましい。
【００２３】
さらに、本実施形態においては、図２に示すように、各積層パネル１０が、支持手段である載置台１９により、厚み方向に傾いた状態で配設されている。
【００２４】
これにより、隣接する積層パネル１０同士を重ねることによって、ケース１８の底部から各積層パネル１０の最上部までの距離を短くすることができるようになっている。
【００２５】
このとき、積層パネル１０の傾きの角度は、積層パネル１０の大きさと厚みを考慮して、極力小さくすることが好ましい。
【００２６】
また、本実施形態においては、ネマチック液晶にカイラル材を添加することによって、室温においてコレスチリック相を形成するカイラルネマチック液晶を利用した反射型等の液晶表示パネルを用いることが特に好ましい。この種の液晶表示パネルは、いわゆるメモリー性を有し、また、低消費電力で、非常に明るい表示を行なうことができる。
【００２７】
このような特性を生かして、カイラルネマチック液晶表示パネルを大型表示に適用する場合は、液晶のピッチを変化させることによって選択反射主波長を異ならせた液晶表示パネルを組み合せて厚み方向に二枚または三枚積層させることによって、マルチカラーまたはフルカラー対応の積層パネルを形成し、この積層パネルを縦横に複数隣接させて大画面を形成させる。
【００２８】
図５乃至図７に示すように、本実施形態において、各積層パネル１０における上層の液晶表示パネル９ａおよび下層の液晶表示パネル９ｂの端子部８には、それぞれ所定の間隔を設けて複数のリード端子２０が形成されており、各リード端子２０には前記可撓配線基板１５が接続されている。
【００２９】
そして、図６に示す上層の液晶表示パネル９ａのリード端子２０と、図５に示す下層の液晶表示パネル９ｂのリード端子２０とは、形成位置が端子部８の長手方向に互いにずれるように形成されている。
【００３０】
これにより、各リード端子２０に接続された可撓配線基板１５を、互いに干渉しないようにして下層側の回路基板１６に接続することができるようになっている。
【００３１】
なお、図８および図９に示すように、リード端子２０の形成位置を上下で揃える場合においても、各リード端子２０に接続された可撓配線基板１５の長さを異ならせるとともに、各可撓配線基板１５が接続される回路基板１６を二層構造にすれば、上下の可撓配線基板１５が互いに干渉することを回避することができる。
【００３２】
次に、本実施例の作用について説明する。
【００３３】
本実施形態において、前記複数の積層パネル１０による大型表示を行う場合は、図示しない制御装置や通信装置によって表示内容を簡便に更新あるいは管理し、各積層パネル１０に接続された回路基板１６によって、各積層パネル１０に対して液晶駆動信号を印加する。
【００３４】
これにより、各積層パネル１０のそれぞれに大型画像を部分的に表示させる。なお大型画像としては、例えば、図１０に示す会場案内や、図１１に示す商品案内、あるいは、図示はしないが、映画案内や気象情報等の種々の態様が考えられる。
【００３５】
このとき、各積層パネル１０の周縁部の一辺である１０ａ，１０ｂが、隣接する他の積層パネル１０の周縁部の一辺である端子部８あるいは非表示部３と重ねられているため、各積層パネル１０の継ぎ目部分１２を従来よりも目立たなくすることができ、良好な大型表示を行うことができる。
【００３６】
また、表示部２の継ぎ目部分１２を小さくすることを目的として、シール幅やリード端子幅を極度に切詰める信頼性を無視した無理な設計を行う必要はないため、信頼性を維持しつつ良好な大型表示を行うことができる。
【００３７】
さらに、各積層パネル１０が、それぞれ支持手段により傾いた状態で配設されているため、ケース１８の底部から各積層パネル１０の最上部までの距離を短くすることができ、さらに良好な大型表示を行うことができる。
【００３８】
なお、本発明は前記実施形態のものに限定されるものではなく、必要に応じて種々変更することが可能である。
【００３９】
例えば、前記実施形態における液晶表示パネル９ａ，９ｂは、一端部のみが端子部とされたいわゆる一方向端子部取り出しのパネルであるが、本発明は、図１２に示すように二端部が端子部とされた二方向端子部取り出しのパネル４０にも適用できるものである。この場合、図１２における横方向には、二方向端子取り出しのパネル４０を２つ隣接させ、縦方向に対して複数の二方向端子部取り出しのパネル４０を隣接させることによって大画面を形成することができる。
【００４０】
また、前記実施形態においては、各リード端子２０に可撓配線基板１５を接続することによって液晶を駆動するように構成されているが、本発明は、例えばＣＯＧ等の他の実装方式にも充分に対応し得るものである。
【００４１】
さらに、本実施形態は、特に、好適には、カイラルネマチック液晶を利用した反射型の液晶表示装置に適用することが望ましい。
【００４２】
なお、積層パネルを構成する液晶表示パネルの枚数は、必要に応じて種々変更し得ることは勿論である。
【００４３】
【発明の効果】
以上述べたように本発明の請求項１に係る大型表示装置によれば、信頼性を確保しつつ良好な大型表示を実現することができる。
【００４４】
請求項２に係る大型表示装置によれば、請求項１と同様に、信頼性を確保しつつ良好な大型表示を実現することができる。
【００４５】
請求項３に係る大型表示装置によれば、請求項１および請求項２に係る大型表示装置の効果に加えて、更に良好な大型表示を実現することができる。
【図面の簡単な説明】
【図１】本発明に係る大型表示装置の実施形態の一例を示す概略平面図
【図２】図１に示す大型表示装置の概略側面図
【図３】本発明に係る大型表示装置の実施形態において、図１と異なる他の形態を示す概略平面図
【図４】図３に示す大型表示装置の概略側面図
【図５】本発明に係る大型表示装置の実施形態において、下層の液晶表示パネルの端子部の一例を示す概略平面図
【図６】本発明に係る大型表示装置の実施形態において、上層の液晶表示パネルの端子部の一例を示す概略平面図
【図７】本発明に係る大型表示装置の実施形態において、上層の液晶表示パネルの端子部と、下層の液晶表示パネルの端子部との重なり状態の一例を示す概略平面図
【図８】本発明に係る大型表示装置の実施形態において、図７と異なる端子部の態様を示す概略平面図
【図９】図８に示す端子部が形成された大型表示装置の概略側面図
【図１０】本発明に係る大型表示装置の実施形態において、大型表示の一例を示す平面図
【図１１】本発明に係る大型表示装置の実施形態において、大型表示の図１０と異なる他の一例を示す平面図
【図１２】本発明に係る大型表示装置の実施形態において、二方向端子部取り出しの積層パネルの隣接を示す概略平面図
【図１３】従来の液晶表示装置の一例を示す概略平面図
【図１４】従来の液晶表示装置の問題点を示す説明図
【符号の説明】
２　表示部
３　非表示部
８　端子部
９ａ，９ｂ　液晶表示パネル
１０　積層パネル
１０ａ，１０ｂ　隣接部位
１２　継ぎ目部分
１４　液晶表示装置
【図１】
2004037590.tif 000003
【図２】
2004037590.tif 000004
【図３】
2004037590.tif 000005
【図４】
2004037590.tif 000006
【図５】
2004037590.tif 000007
【図６】
2004037590.tif 000008
【図７】
2004037590.tif 000009
【図８】
2004037590.tif 000010
【図９】
2004037590.tif 000011
【図１０】
2004037590.tif 000012
【図１１】
2004037590.tif 000013
【図１２】
2004037590.tif 000014
【図１３】
2004037590.tif 000015
【図１４】
2004037590.tif 000016
【手続補正書】
【提出日】平成14年7月3日(2002.7.3)
【手続補正１】
【補正対象書類名】明細書
【補正対象項目名】特許請求の範囲
【補正方法】変更
【補正の内容】
【特許請求の範囲】
【請求項１】
液晶表示パネルが互いに隣接するように複数配置されてなる大型表示装置において、各液晶表示パネルの周縁部の少なくとも一辺が隣接する液晶表示パネルの周縁部の一辺と重なり合っていることを特徴とする大型表示装置。
【請求項２】
前記液晶表示パネルが複数の液晶パネルを厚み方向に積層させてなる積層パネルである請求項１に記載の大型表示装置。
【請求項３】
前記液晶表示パネルが支持手段により傾斜して固定されている請求項１または請求項２のいずれか１項に記載の大型表示装置。
【請求項４】
前記液晶表示パネルがカイラルネマチック液晶表示パネルである請求項１乃至請求項３のいずれか１項に記載の大型表示装置。